(57)【特許請求の範囲】
【請求項１】
電子機器を構成する第１の筐体に対して第２の筐体を開閉可能に連結する開閉装置であって、前記第１の筐体へ取り付けられる取付部材と、この取付部材の両側板に対し回転可能に取り付けたところの小径変形軸部と大径変形軸部とフランジ部とを有するヒンジシャフトと、このヒンジシャフトの前記小径変形軸部に固定され共に回転可能に取り付けた前記第２の筐体を支持する支持部材と、この支持部材の回転を制御する回転制御手段とから成り、この回転制御手段をフリクション機構と吸い込み機構とで構成し、前記フリクション機構を、その中心部軸方向に設けた変形挿通孔へ前記ヒンジシャフトの前記大径変形軸部を挿通させて、当該ヒンジシャフトに回転規制されて取り付けられると共に、前記フランジと前記取付部材の一方の側板との間に介在させたフリクションワッシャーと、その中心部軸方向に設けた変形挿通孔へ前記ヒンジシャフトの前記小径変形軸部を挿通させて、当該ヒンジシャフトに回転を規制されて取り付けられると共に、前記取付部材の他方の側板の側に配置されたワッシャーと、その中心部軸方向に設けた挿通孔へ前記ヒンジシャフトの前記小径変形軸部を挿通させて前記ワッシャーと前記支持部材の側板との間に介在させたスプリングワッシャーと、で構成し、前記吸い込み機構を、その中心部軸方向に設けた変形挿通孔と外周の軸方向に渡って設けた平坦なカム部を有し、前記変形挿通孔へ前記ヒンジシャフトの前記大径変形軸部を挿通係合させたカム手段と、前記取付部材に設けた取付部にその一端部を固定させ自由端側にカールさせた弾接部を有し、この弾接部を前記カム部の外周に摺接させた弾性手段とで構成したことを特徴とする、電子機器の開閉装置。
【請求項２】
前記回転制御手段を、前記取付部材に固定させたベース部材と、このベース部材に設けた湾曲部に接して前記取付部材の両側板間に回転可能に軸架されたところの一側端側に支持部材を取り付けたヒンジシャフトと、このヒンジシャフトに設けたカム部に圧接して前記ベース部材の上端一側にその一側端側を取り付けたところの板バネ状の弾性手段とで構成したことを特徴とする、請求項１に記載の電子機器の開閉装置。
【請求項３】
前記ベース部材の湾曲部に湾曲凹部を有するスリーブを前記ヒンジシャフトのカム部に接して設けたことを特徴とする、請求項２に記載の電子機器の開閉装置。
【請求項４】
前記ヒンジシャフトは、軸方向へ移動規制されていることを特徴とする、請求項２に記載の電子機器の開閉装置。
【請求項５】
前記弾性手段は、その略中央部長手方向に折曲部を設けたものと成したことを特徴とする、請求項２に記載の電子機器の開閉装置。
【請求項６】
請求項１乃至５のいずれか１項に記載の開閉装置を、前記第１の筐体と第２の筐体との間に設けたことを特徴とする、電子機器。
【発明の詳細な説明】
【技術分野】
【０００１】
本発明は、ノート型パソコン、ラップトップ型パソコン、ＰＤＡ（Ｐｅｒｓｏｎａｌ  Ｄｉｇｉｔａｌ  Ａｓｓｉｓｔａｎｔ）、及びカーナビゲーション装置といった電子機器の開閉装置並びにこの開閉装置を用いた電子機器に関する。
【背景技術】
【０００２】
上述した電子機器は、一般的にテンキーやキーボードを設けた装置本体を構成する第１の筐体と、ディスプレイ装置を設けた蓋体を兼ねる第２の筐体とを、開閉装置を用いて互いに重ね合わせた状態から上下方向へ相対的に開閉可能となるように連結されている。
【０００３】
このような開閉装置の多くは、チルトヒンジと称せられ、第１の筐体に対して第２の筐体を任意の開閉角度で停止保持させるために、フリクション機構を持っている。このようなチルトヒンジの多くは、それ自身が第２の筐体を第１の筐体に対して閉じた際に、この閉成状態をロックする機能を有していなかったために、別にロック手段を第１の筐体と第２の筐体の間に設けていた。
【０００４】
このようなロック手段は、一般的に第２の筐体の前端部の下部中央に係止片を下方へ突出して取り付け、第１の筐体の側にこの係止片と係合する係合部材を設けたものであり、外観上見栄えが悪く、デザイン上の制約となり、また、コストアップの原因となっていた。そこで、開閉装置そのものにロック機能を持たせたものが開発されている。このようなロック機能を持った開閉装置として、例えば下記特許文献１に記載されたものが公知である。
【先行技術文献】
【特許文献】
【０００５】
【特許文献１】特開２００５−１６６０４号公報
【発明の概要】
【発明が解決しようとする課題】
【０００６】
この特許文献１に記載された開閉装置は、装置本体を構成する第１の筐体に取り付けられる取付部材と、この取付部材の左右の側板間に取り付けられる支持軸と、この支持軸に回転可能に取り付けられる多数枚のフリクションプレートと、第２の筐体を開閉自在に支持し、取付部材に回転自在に取り付けられると共に、フリクションプレートの当接面が弾性的に摩擦当接するヒンジシャフトから構成され、当接面に平坦部を形成すると共に、第２の筐体の閉成状態において、前記当接面の平坦部に合わさる別の平坦部をヒンジシャフトに形成したものである。
【０００７】
したがって、部品点数が多く、構造が複雑となるため、製作コストが高くつくという問題があった。
【０００８】
本発明の目的は、部品点数が少なく、構成が簡単で、それ自身がロック機能を持ち、製作コストの安価な、電子機器の開閉装置を提供せんとするにある。
【課題を解決するための手段】
【０００９】
上記課題を解決するために本発明は、電子機器を構成する第１の筐体に対して第２の筐体を開閉可能に連結する開閉装置であって、前記第１の筐体へ取り付けられる取付部材と、この取付部材の両側板に対し回転可能に取り付けたところの小径変形軸部と大径変形軸部とフランジ部とを有するヒンジシャフトと、このヒンジシャフトの前記小径変形軸部に固定され共に回転可能に取り付けた前記第２の筐体を支持する支持部材と、この支持部材の回転を制御する回転制御手段とから成り、この回転制御手段をフリクション機構と吸い込み機構とで構成し、前記フリクション機構を、その中心部軸方向に設けた変形挿通孔へ前記ヒンジシャフトの前記大径変形軸部を挿通させて、当該ヒンジシャフトに回転規制されて取り付けられると共に、前記フランジと前記取付部材の一方の側板との間に介在させたフリクションワッシャーと、その中心部軸方向に設けた変形挿通孔へ前記ヒンジシャフトの前記小径変形軸部を挿通させて、当該ヒンジシャフトに回転を規制されて取り付けられると共に、前記取付部材の他方の側板の側に配置されたワッシャーと、その中心部軸方向に設けた挿通孔へ前記ヒンジシャフトの前記小径変形軸部を挿通させて前記ワッシャーと前記支持部材の側板との間に介在させたスプリングワッシャーと、で構成し、前記吸い込み機構を、その中心部軸方向に設けた変形挿通孔と外周の軸方向に渡って設けた平坦なカム部を有し、前記変形挿通孔へ前記ヒンジシャフトの前記大径変形軸部を挿通係合させたカム手段と、前記取付部材に設けた取付部にその一端部を固定させ自由端側にカールさせた弾接部を有し、この弾接部を前記カム部の外周に摺接させた弾性手段とで構成したことを特徴とする。
【００１４】
本発明はさらに、前記回転制御手段を、前記取付部材に固定させたベース部材と、このベース部材に設けた湾曲部に接して前記取付部材の両側板間に回転可能に軸架されたところの一側端側に支持部材を取り付けたヒンジシャフトと、このヒンジシャフトに設けたカム部に圧接して前記ベース部材の上端一側にその一側端側を取り付けたところの板バネ状の弾性手段とで構成したことを特徴とする。
【００１５】
その際に本発明は、前記ベース部材の湾曲部に湾曲凹部を有するスリーブを前記ヒンジシャフトのカム部に接して設けることが望ましい。
【００１６】
本発明はさらに、前記ヒンジシャフトを軸方向へ移動規制する事が望ましい。
【００１７】
本発明はさらに、前記板バネ上の弾性手段をその略中央部長手方向に折曲部を設けたもので構成することが望ましい。
【００１８】
そして本発明は、上記の開閉装置を第１の筐体と第２の筐体の間に設けた電子機器であることを特徴とする。
【発明の効果】
【００１９】
本発明は、以上のように構成したので、部品点数が少なく、構成が簡単となったことから、大幅なコストダウンを図った上で、第１の筐体に対して第２の筐体を閉成状態において安定的にロックさせることができるという効果を奏し得る。
【図面の簡単な説明】
【００２０】
【図１】本発明に係る開閉装置を用いた電子機器の斜視図である。
【図２】本発明に係る開閉装置の斜視図である。
【図３】本発明に係る開閉装置の分解斜視図である。
【図４】本発明に係る開閉装置の断面図である。
【図５】本発明に係る開閉装置の使用状態説明図である。
【図６】本発明に係る開閉装置の使用状態説明図である。
【図７】本発明に係る開閉装置の使用状態説明図である。
【図８】本発明に係る開閉装置の他の実施例を示す分解斜視図である。
【図９】本発明に係る開閉装置のさらに他の実施例を示す断面図である。
【図１０】本発明に係る開閉装置のさらに他の実施例を示す斜視図である。
【図１１】図１０に示した開閉装置の分解斜視図である。
【図１２】図１０に示した開閉装置の側断面図である。
【図１３】図１０に示した開閉装置の使用状態説明図である。
【図１４】図１０に示した開閉装置の使用状態説明図である。
【図１５】図１０に示した開閉装置の使用状態説明図である。
【図１６】図１０に示した開閉装置の使用状態説明図である。
【発明を実施するための形態】
【００２１】
本発明を実施する最良の形態は、第１の筐体へ取り付けられる取付部材と、この取付部材に対しヒンジシャフトを介して回転可能に取り付けた前記第２の筐体を支持する支持部材と、この支持部材の回転を制御する回転制御手段で構成し、この回転制御手段を、前記ヒンジシャフトの側に設けたカム手段と、前記取付部材の側に前記カム手段と接して設けた弾性手段とで構成し、前記支持部材を前記カム手段と共に回転するように成したことを特徴とするものであり、さらに、前記回転制御手段を、前記ヒンジシャフトを前記支持部材と共に回転するように成すと共に、前記カム手段を前記ヒンジシャフトと別体に設け、当該ヒンジシャフトに回転を規制させて取り付けて構成したものである。しかし、本発明の実施形態は、これらのものに限定されず、とくに、回転制御手段には後述するさまざまな実施形態が考えられる。
【００２２】
以下に本発明を電子機器の中でもノート型パソコンに実施した場合について説明するが、本発明を実施する電子機器は、ノート型パソコン以外のラップトップ型パソコン、ＰＤＡ、及びカーナビゲーション装置等の電子機器も含まれる。
【実施例１】
【００２３】
図面によれば、図１において、指示記号１で示したものは、例えばノート型パソコンであって、このノート型パソコン１は、テンキーやキーボード２ａ等をその上面に設けた第１の筐体２と、下面にディスプレイ装置３ａを設けた第２の筐体３とを有し、第１の筐体２と第２の筐体３が本発明に係る開閉装置４、４を介して上下方向へ相対的に開閉可能に連結されている。開閉装置４、４は原則として一対用いられるが、構成が同じなので以下その一方のみについて説明する。但し、一対の開閉装置のうち、一方のみを本発明に係る開閉装置を用い、他方を別の構成の開閉装置を用いる場合もある。
【００２４】
本発明に係る開閉装置４は、とくに図４乃至図７に示したように、第１の筐体２の後部上端に設けた取付凹部２ｂ内へ取り付けた取付部材５と、第２の筐体３の後端部下面に設けた取付凹部３ｂ内に取り付けた支持部材６と、この支持部材６を取付部材５に対して回転可能に連結するヒンジシャフト７と、取付部材５に対して支持部材６を、第２の筐体３の第１の筐体２に対する閉成状態でロックする回転制御手段８とで構成されている。
【００２５】
さらに詳しく説明すると、取付部材５は、例えばＳＵＳのような金属プレートをプレス加工によってプレス成形させたもので、平面矩形状を呈した底板５ａと、この底板５ａの両側部より上方へ折り曲げた両側板５ｂ、５ｂと、底板５ａの後端部より上方へ折り曲げて形成した後板５ｃから成り、底板５ａには複数の取付孔５ｄ、５ｄが設けられ、両側板５ｂ、５ｂには軸芯を共通にして連結孔５ｅ、５ｅが設けられる。さらに、後板５ｃからはその両側端部より係止片５ｆ、５ｆが設けられ、この係止片５ｆ、５ｆの先端を、両側板５ｂ、５ｂに設けた係合溝５ｇ、５ｇへ挿入係止させている。
【００２６】
支持部材６は、同じくＳＵＳ製の金属板をプレス加工することによって形成したもので、平面アングル形状を呈したシンプルな構成で、側板６ａと、この側板６ａより外側へ折り曲げて形成した取付板６ｂと、側板６ａに設けた変形連結孔６ｃとから成り、取付板６ｂには複数の取付孔６ｄ、６ｄが設けられている。
【００２７】
ヒンジシャフト７は、例えばＳＵＳ製の丸棒を切削加工することによって形成させたもので、一端部に設けられたフランジ部７ａと、このフランジ部７ａに続いて設けられた大径変形軸部７ｂと、この大径変形軸部７ｂに続いて設けられた小径変形軸部７ｃと、この小径変形軸部７ｃの端部に設けられる、とくに図２に示したかしめ部７ｄとで構成されている。
【００２８】
回転制御手段８は、フリクション機構９と吸い込み機構１０とから成り、フリクション機構９は、その中心部軸方向に設けた変形挿通孔１１ａへヒンジシャフト７の大径変形軸部７ｂを挿通させて、当該ヒンジシャフト７に回転規制されて取り付けられると共に、フランジ部７ａと取付部材５の一方の側板５ｂとの間に介在させたフリクションワッシャー１１と、その中心部軸方向に設けた変形挿通孔１２ａへヒンジシャフト７の小径変形軸部７ｃを挿通させて、当該ヒンジシャフト７に回転を規制されて取り付けられると共に、支持部材６の側板６ａの側に設けられたワッシャー１２と、その中心部軸方向に設けた挿通孔１３ａへヒンジシャフト７の小径変形軸部７ｃを挿通させてワッシャー１２と支持部材６の側板６ａとの間に介在させたスプリングワッシャー１３と、ヒンジシャフト７の小径変形軸部７ｃのかしめ部７ｄとで構成されている。
【００２９】
吸い込み機構１０は、例えばＳＵＭ製の中心部軸方向へ変形挿通孔１４ａと、外周をその軸方向に渡って削り取ることによって形成した平坦なカム部１４ｂと、変形挿通孔１４ａへヒンジシャフト７の大径変形軸部７ｂを挿通させたカム手段１４と、取付部材５の後板５ｃに設けた取付部５ｈにその一端部１５ａを挿入固定させた自由端側にカールさせた弾接部１５ｂを有し、この弾接部１５ｂをカム手段１４の外周に摺接させている弾性手段１５とで構成されている。尚、この吸い込み機構１０は、第２の筐体３の第１の筐体２に対する開閉操作時に、弾性手段１５の弾接部１５ｂとカム手段１４の湾曲外周１４ｃとの間で圧接状態となるため、ここでもフリクショントルクを発生させることができる構成である。
【００３０】
そして、フリクション機構９にあっては、フリクションワッシャー１１、カム手段１４、ワッシャー１２、スプリングワッシャー１３を上述したように配置した後に、ヒンジシャフト７の小径変形軸部７ｃが支持部材６の側板６ａより突出した部分を所定のかしめトルクでかしめてかしめ部７ｄとすることにより、フリクションワッシャー１１の一側部と、取付部材５の側板５ｂとの間、ワッシャー１２ともう一方の側板５ｂとの間、及びカム手段１４の両端面と取付部材５の両側板５ｂとの間にそれぞれフリクショントルクが発生する構成となっている。
【００３１】
以下に本発明に係る開閉装置の作用効果について説明する。
【００３２】
まず、図４に示したように、ノート型パソコン１の第１の筐体２に対して第２の筐体３を閉じた閉成状態においては、弾性手段１５の弾接部１５ｂがカム手段１４の平坦なカム部１４ｂに当接していることによって、第２の筐体３は第１の筐体２に対して閉成状態でロックされている。
【００３３】
次に、ノート型パソコン１を使用すべく使用者が第１の筐体２に対して第２の筐体３を開くと、支持部材６及びヒンジシャフト７と共にカム手段１４が回転し、第２の筐体３は、吸い込み機構１０のカム手段１４が、その外周で弾性手段１５の弾接部１５ｂをその圧接弾力に抗して下押しすることによって、図４から図７に示したように０°から１８０°まで開かれる。次いで、この開いた第２の筐体３を閉じる際には、通常の閉成操作で閉じて行き、約５°の閉成角度になると、とくに図５に示したように、弾性手段１５の弾接部１５ｂが、カム手段１４の平坦なカム部１４ｂに当接し始めることから、第２の筐体３は急速に吸い込まれるように閉じられ、この閉じた状態において、とくに図４に示したように、弾性手段１５の弾接部１５ｂが平坦なカム部１４ｂと圧接状態となることにより、第２の筐体３は第１の筐体２に対して閉成状態でロックされることになる。このようにして回転制御手段８の吸い込み機構１０は機能する。
【００３４】
次に、開閉操作の途中にあっては、回転制御手段８のフリクション機構９のフリクションワッシャー１１がヒンジシャフト７と共に回転して、取付部材５の一方の側板５ｂとの間でフリクショントルクが発生し、また、ワッシャー１２ともう一方の側板５ｂとの間、及びカム手段１４の両端面と取付部材５の両側板５ｂとの間でもフリクショントルクが発生し、さらに、弾性手段１５の弾接部１５ｂとカム手段１４の湾曲外周１４ｃとの間にもフリクショントルクが発生することから、任意の開閉角度で第２の筐体３を第１の筐体２に対して停止保持させることが可能である。
【実施例２】
【００３５】
図８は本発明に係る開閉装置の他の実施例を示す。図面によれば、この実施例２の開閉装置２０は、その回転制御手段２１のカム手段２２の中心部軸方向に断面円形状の挿通孔２２ａが設けられ、その外周部軸方向に平坦なカム部２２ｂが形成され、その両端部に設けた係止突起２２ｃ、２２ｃを、支持部材２３の天板２３ａより垂下させた両側板２３ｂ、２３ｂの円形状の連結孔２３ｄ、２３ｄの周囲に設けた係合孔２３ｃ、２３ｃへ挿入係止させている。ヒンジシャフト２４は、フランジ部２４ａと、大径変形軸部２４ｂと、軸部２４ｃと、小径変形軸部２４ｄと、かしめ部２４ｅとから成り、軸部２４ｃの形状は断面丸棒状である。取付部材２５は、底板２５ａと、この底板２５ａの両側部より立ち上げた両側板２５ｂ、２５ｂと、この両側板２５ｂ、２５ｂの後部より立ち上げて両側板に係止させた後板２５ｃと、両側板２５ｂ、２５ｂに設けた大小の大径変形取付孔２５ｄと小径変形取付孔２５ｅとで構成されている。ヒンジシャフト２４の大径変形軸部２４ｂと小径変形軸部２４ｄを大径変形取付孔２５ｄと小径変形取付孔２５ｅへ挿入係止させて取り付けており、ヒンジシャフト２４の軸部２４ｃに支持部材２３の円形状の連結孔２３ｄ、２３ｄを回転可能に連結させている。そして、ヒンジシャフト２４の軸部２４ｃをカム手段２２の挿通孔２２ａ内に回転可能となるように挿入させている。その他の弾性手段２６の形状とその取付手段は実施例１のものと同じである。尚、指示記号２７は大径変形挿通孔２７ａを有するフリクションワッシャー、指示記号２８は小径変形挿通孔２８ａを有するワッシャー、指示記号２９は挿通孔２９ａを有するスプリングワッシャーである。そして、カム手段２２と弾性手段２６で回転制御手段２１の吸い込み機構３０を構成し、フリクションワッシャー２７、ワッシャー２８、及びスプリングワッシャー２９とヒンジシャフト２４のかしめ部２４ｅで回転制御手段２１のフリクション機構３１を構成している点は、実施例１と同じである。
【００３６】
このように構成しても本発明の目的を達成できる。この実施例２の場合、ヒンジシャフト２４の軸部２４ｃとカム手段２２の挿通孔２２ａの間に粘性グリスを充填させることによりダンパー機能を果すことが可能となる利点を有する。
【実施例３】
【００３７】
図９は、開閉装置の弾性手段の他の実施例を示す。図面によればこの実施例３に係る開閉装置３８の弾性手段３５は、その取付底部３５ａを取付部材３６の底板３６ａ上に取付ビス３７を用いることにより固定されており、取付部材３６の後板は省略させてある。その他の構成は実施例１のものと同じである。
【００３８】
このように実施しても本発明の目的を達成できる。このようにして構成すると、取付部材３６に実施例１のような後板を設ける必要がなくなるものである。
【００３９】
その他の上記実施例に係る電子機器の開閉装置においては、カム手段を支持部材の側板に設けることも可能であり、ヒンジシャフトと一体に設けることも可能である。さらに、支持部材は、実施例２の支持部材２３のように天板２３ａとこの天板２３ａの両側部より折り曲げて垂下させた両側板２３ｂ、２３ｂを有するものとすることができる。
【実施例４】
【００４０】
図１０乃至図１７は、さらに他の実施例を示す。図面によれば、この実施例４に係る電子機器の開閉装置４０は、底板４１ａとこの底板４１ａの両側部より折り曲げて立ち上げた両側板４１ｂ、４１ｂから成る取付部材４１と、この取付部材４１の両側板４１ｂ、４１ｂの間に収容固定されたところの長手方向に略半円形状の湾曲部４２ａを有する合成樹脂製或はアルミ等の金属製のベース部材４２と、このベース部材４２の湾曲部４２ａに嵌め込まれた断面略半円形状で例えばＳＵＳ等の金属製のスリーブ４３と、取付部材４１の両側板４１ｂ、４１ｂに設けた軸受孔４１ｃ、４１ｃへ回転可能に挿通されたヒンジシャフト４４と、このヒンジシャフト４４の一側部に取付ネジ４５、４５で固着された断面アングル形状の支持部材４６と、ベース部材４２の一側上端部に取付ネジ４７、４７、４７でその一側端側を固着してヒンジシャフト４４の上部側に圧接しているバネ用鋼製の板バネから成る弾性手段４８と、ヒンジシャフト４４の抜けを防止する、例えばスプリングピンから成る抜け防止手段４９と、で構成されている。
【００４１】
さらに詳しくは、取付部材４１は例えば第１の筐体５０の側へ取り付けられるもので、ＳＵＳのような金属プレートをプレス加工して作ったものである。この取付部材４１の軸受孔４１ｃ、４１ｃの外側に位置して各一対のボス部４１ｄ、４１ｄ・４１ｄ、４１ｄが設けられている。
【００４２】
ベース部材４２は、その湾曲部４２ａの両上端縁に上側段部４２ｂ、４２ｂが設けられると共に、その両側部に両端側凹部４２ｃ、４２ｃが設けられている。この両端側凹部４２ｃ、４２ｃは、ベース部材４２を取付部材４１の両側板４１ｂ、４１ｂの間へ嵌入させる際に、当該両側板４１ｂ、４１ｂの軸受孔４１ｃ、４１ｃの外側に設けたボス部４１ｄ、４１ｄ・４１ｄ、４１ｄをガイドして、ベース部材４２の位置ズレを防止する役目を果している。このベース部材４２にはさらにその下面に取付部材４１の底板４１ａを受け入れる凹部４２ｄが設けられている。
【００４３】
スリーブ４３は、例えばＳＵＳのような金属プレートをプレス加工して作ったもので、湾曲凹部４３ａの両端縁に設けた折曲片４３ｂ、４３ｂをベース部材４２の上端側段部４２ｂ、４２ｂへ嵌め込み、ベース部材４２の上面が面一になるように工夫されている。
【００４４】
ヒンジシャフト４４は、一側端部に設けたフランジ部４４ａと、このフランジ部４４ａを含む外周の一部を削除して設けた平坦部から成るカム部４４ｂと、このカム部４４ｂの終端部に設けた取付孔４４ｃと、カム部４４ｂに続いて設けられた平坦部から成る取付部４４ｄとで構成され、軸受孔４１ｃ、４１ｃに軸架させたときにフランジ部４４ａと取付孔４４ｃに挿入したスプリングピンから成る抜け防止手段４９によって、軸方向に移動規制されていて、スリーブ４３の湾曲凹部４３ａと摺接している。
【００４５】
支持部材４６は、上面側の第１取付プレート部４６ａに設けた取付孔４６ｂ、４６ｂを介して取付ネジ４５、４５をヒンジシャフト４４の取付部４４ｄに設けた雌ネジ部４４ｅ、４４ｅに捻子着させることによって、ヒンジシャフト４４へ取り付けられ、第１取付プレート部４６ａより折り曲げて垂下させた第２取付プレート部４６ｃに設けた取付孔４６ｄ、４６ｄへ取り付ける図示してない取付ネジを介して、第２の筐体５１へ取り付けられるものである。
【００４６】
板バネから成る弾性手段４８は、略中央部に折曲部４８ａを有し、その一側部に設けた取付孔４８ｂ、４８ｂ、４８ｂを通してベース部材４２の一側上端部に設けた雌ネジ部４２ｅ、４２ｅ、４２ｅへ捻子着させた取付ネジ４７、４７、４７で、ベース部材４２にその一側部において取り付けられ、その下面側をヒンジシャフト４４の外周へ圧接させている。
【００４７】
したがって、この実施例４に係る開閉装置４０は、図１２に示した第１の筐体５０に対して第２の筐体５１を閉じた閉成状態においては、開閉装置４０のヒンジシャフト４４のカム部４４ｂが弾性手段４８の下面に圧接していることから、第２の筐体５１が開成方向の力を受けても容易には開かず、閉成状態を維持している。
【００４８】
次に、第２の筐体５１の第１の筐体５０に対してこれを開くべく当該第２の筐体５１の手前側を上方へ押して図中反時計方向へ開くと、第２の筐体５１は共に回転する開閉装置４０のヒンジシャフト４４を介して弾性手段４８の押圧力に抗して回転することにより図１３に示したように開かれる。
【００４９】
さらに、第２の筐体５１を反時計方向へ回転させると、第２の筐体５１はヒンジシャフト４４と共に図１４から図１６に示したように開かれ、１８０°の開成角度で停止する。この時は、ヒンジシャフト４４のカム部４４ｂは図１６に示したように下側を向くことになる。開いた第２の筐体５１は、これを時計方向へ回転させると、第１の筐体５０に対して閉じられ、閉成角度の少し手前で、カム部４４ｂと弾性手段４８との間に吸い込み作用が発生して閉じられ、０°でヒンジシャフト４４のカム部４４ｂが弾性手段４８の下面に圧接し、閉成状態が安定的に維持される。
【００５０】
このように本実施例４に係る電子機器の開閉装置４０は部品点数の少ない簡単な構成で、第２の筐体５１の第１の筐体５０に対する閉成位置で安定的に閉成状態を保って、他のロック手段を必要としない上に、第２の筐体５１の第１の筐体５０に対する任意の開閉角度で、ヒンジシャフト４４に圧接する弾性手段４８により、安定的に停止保持される。
【００５１】
この際のフリクショントルクは、ヒンジシャフト４４の外周と弾性手段４８、ヒンジシャフト４４の外周とスリーブ４３との間に発生する。尚、スリーブ４３は、この部材を省略することは可能であるが、あるとよりフリクショントルクを創出し易く、かつ磨耗によって、フリクショントルクが経時的に変化することを防止できよう。
【００５２】
さらに、この実施例４に係る開閉装置４０は、フリクショントルクを創出する手段をヒンジシャフト４４と取付部材４１の側板４１ｂ、４１ｂとの間に設けた公知のチルト機構とすることが可能である。さらに、スプリングピンやフランジ部はこれをＥリング或は係止リングに代えても良い。また、板バネから成る弾性手段４８は、フラット状であっても良いが、第２の筐体５１の閉成時にヒンジシャフトと弾性手段４８の下面との間の遊びが大きくなって、スムーズな閉成動作を阻害するので、折曲部４８ａを設けてこれを防止するものである。さらに、弾性手段４８は、実施例では１枚であるが、複数枚であっても良い。弾性手段４８はさらに板バネの枚数、厚さ、材質を変更することで、ヒンジシャフト４４のフリクショントルクの増減調整を図ることができる。
【産業上の利用可能性】
【００５３】
本発明は以上のように構成したので、部品点数が少なく、構造簡単で、製作コストの安価な開閉装置として、ノート型パソコンを始めとする各種電子機器の第１の筐体と第２の筐体を開閉させるロック機能付の開閉装置として好適に用いることができるものである。
【符号の説明】
【００５４】
１  ノート型パソコン
２  第１の筐体
３  第２の筐体
４  開閉装置
５  取付部材
５ｂ  側板
６  支持部材
６ａ  側板
７  ヒンジシャフト
８  回転制御手段
９  フリクション機構
１４  カム手段
１４ｂ  カム部
１５  弾性手段
２０  開閉装置
２１  回転制御手段
２２  カム手段
２２ｂ  カム部
２３  支持部材
２３ｂ  側板
２４  ヒンジシャフト
２５  取付部材
２５ｂ  側板
２６  弾性手段
３１  フリクション機構
３５  弾性手段
３６  取付部材
３８  開閉装置
４０  開閉装置
４１  取付部材
４１ｂ  両側板
４２  ベース部材
４２ａ  湾曲部
４３  スリーブ
４３ａ  湾曲凹部
４３ｂ  折曲部
４４  ヒンジシャフト
４４ｂ  カム部
４６  支持部材
４８  弾性手段
４８ａ  折曲部
５０  第１の筐体
５１  第２の筐体
【図１】
0005889522.tif 000002
【図２】
0005889522.tif 000003
【図３】
0005889522.tif 000004
【図４】
0005889522.tif 000005
【図５】
0005889522.tif 000006
【図６】
0005889522.tif 000007
【図７】
0005889522.tif 000008
【図８】
0005889522.tif 000009
【図９】
0005889522.tif 000010
【図１０】
0005889522.tif 000011
【図１１】
0005889522.tif 000012
【図１２】
0005889522.tif 000013
【図１３】
0005889522.tif 000014
【図１４】
0005889522.tif 000015
【図１５】
0005889522.tif 000016
【図１６】
0005889522.tif 000017